(57)【要約】      （修正有）【課題】新しい光源を設けず、殺虫剤を振りまいて空気を汚すこともせずに飛翔害虫の捕獲ができる飛翔害虫捕獲用具を提供する。【解決手段】照明器具３に装着して飛翔害虫を補獲する用具１であって、飛翔害虫を粘着効果で補獲する粘着シート２を支える平板部材と、粘着シートを固定するための平板部材に設けた複数の固定部材と、照明器具に固定するために平板部材の粘着シート装着面とは反対の面に設けた取り付け部材と、から構成される。手元用照明器具の使用時の灯りや消灯後の蛍光灯の残照を有効手段とし、誘われてやってくるハエ等の飛翔害虫を粘着シートで捕獲する。【選択図】図６
0003204659.tif 000002
【実用新案登録請求の範囲】
【請求項１】
照明器具（３）に装着して飛翔害虫を補獲する用具（１）であって、前記飛翔害虫を粘着効果で補獲する粘着シート（２）を支える平板部材（１ａ）と、前記粘着シート（２）を固定するための前記平板部材（１ａ）に設けた複数の固定部材（１ｂ）と、前記照明器具（３）に固定するために前記平板部材（１ａ）の前記粘着シート（２）の装着する面とは反対の面に設けた取り付け部材（１ｃ）と、から構成されることを特徴とする飛翔害虫補獲用具（１）。
【考案の詳細な説明】
【技術分野】
【０００１】
本考案は環境に考慮したハエ等の飛翔害虫補獲用具に関するものである。
取替え及び処理が容易な粘着シートを使い、生活で使う照明器具の灯りを利用して飛翔害虫を誘引し、捕獲する飛翔害虫捕獲用具に関するものである。
【背景技術】
【０００２】
従来、空中のハエ等の飛翔害虫に殺虫剤を吹き付けたり、ハエたたきで捕獲したり、ハエ取り紙（リボンハエトリや板状のハエ取り紙）を天井などからつるしたりしてハエの駆除をおこなってきた。
近年、ハエは殺虫剤の噴霧により小型化して見つけにくくなり、空中を飛んでいても気づきにくく見逃しやすいため捕獲が難しくなってきている。
その数が減少したとも言いがたい。
ハエたたきは小型化したハエのために使用できる機会も失われ、その姿を目にする機会も極端に少なくなった。
容器に誘引剤や粘着紙を容器内にいれ、誘われてやってくるハエ等飛翔害虫を捕獲する器具等も考案されている。
本考案は外灯などに群がる飛翔害虫の習性を利用するため、発光装置を備えて粘着紙や粘着剤でハエ等の飛翔害虫を取る用具や、紫外線の光を放つ光源を備え、誘われてきたハエや蚊などの飛翔害虫を電流で殺すなどの新たな電源と設置場所を必要とする用具とは違い、現在使用している照明器具を使う為、新たに電源を設置場所を用意する必要はない。
【先行技術文献】
【特許文献】
【０００３】
【特許文献１】特開平７−２７４７９３
【特許文献２】実用新案登録３１４１２０６号
【考案の概要】
【０００４】
本考案は、日常で使われている発光源（蛍光灯等の照明器具）を利用して灯りに誘われてやってくる飛翔害虫を粘着シートで捕獲するものであって、粘着シートを簡単に取り付け又は取り外しのできる飛翔害虫捕獲用具を提案する。
ハエ等飛翔害虫の集まりやすい台所の流し台の手元用照明器具（蛍光灯）の灯り又は残照を求めて寄ってくるハエ等の飛翔害虫を捕獲するため板状の紙シートに粘着剤を塗布したハエ取り紙等の粘着シートをその発光源である照明器具に取り付けるために考案された用具で、照明器具の蛍光灯の灯りと粘着紙に塗布した粘着剤の臭いとの相乗効果で誘われてやってくるハエや蚊等の飛翔害虫を捕獲する用具である。
【考案が解決しようとする課題】
【０００５】
粘着性の高いハエ取り紙等はうっかり手や顔や洋服などに触れる可能性が高く、設置場所に苦労する。
従来は捕獲の可能性が高いと思われる場所に設置したハエ取り紙に偶然にやってくるハエ等の飛翔害虫を捕獲するものであるが、誘引力が弱い。
発光源を必要とするハエ取り器具は、電源の確保とハエ取り器具の設置場所を必要とし、コンセント等の電源を新たに用意する必要が生じる。
【課題を解決するための手段】
【０００６】
本考案は、発光源を家庭の中で使われている蛍光灯等の照明器具を使用する。
人との接触の可能性の少ない蛍光灯等の照明器具に粘着シートを設置するための飛翔害虫捕獲用具で、粘着紙の取替えの挿し込みや取り出しが容易にできるよう工夫されている。
本考案の飛翔害虫捕獲用具は両サイドの上端から下方へアピン型クリップ（1ｂ）を取り付け、ヘアピン型クリップ（1ｂ）の下方から板状になった粘着シート（２）を挿し入れ装着し、中央の剥離シート（2ｅ）を取り外し、表面に表れる粘着面（2b）で飛翔害虫を捕獲する。
ハエ等飛翔害虫を捕獲した粘着シート（２）は取り外し、処分した後に新しい粘着シート（２）を装着する。
粘着シート（２）の剥離シート（2ｃ）は中央の剥離シート（2e）と両サイドの剥離シート（2f）で構成され、粘着紙表面を被う。
ヘアピン型クリップ（1ｂ）のあたる両サイド（2f）を残して中央の剥離シート（2e）が剥がれるように粘着シート（２）の中央の剥離シート（2e）と両サイドの剥離シート（2f）の間に切り取り線（2d）を設け、中央部の剥離シート（2e）のみを剥がす工夫がされている。
粘着シート（２）の両サイドシート（2f）を持ってヘアピン型クリップ（1ｂ）に挿入するので、着脱時、指に粘着剤が付いたり汚れたりすることもない。
【考案の効果】
【０００７】
本考案は、台所の流し台の上方に設置されている手元用照明器具の蛍光管近くの照明器具本体部分に垂直に飛翔害虫捕獲用具を設置し粘着紙を差し込むため、新たな電源もハエ取り器具を置くスペースも必要としない。
飛翔害虫捕獲用具は、両面粘着シート等を飛翔害虫捕獲用具の裏面側に設置するが、照明器具本体に貼り付け設置する時は粘着シートを被う剥離シートを剥がし、接着し、設置する。
台所仕事をするときに手元用照明器具の蛍光灯の灯りをつけて調理等の作業を行い調理等が終われば手元用照明器具の蛍光灯の灯りを消すといういつもの作業の中でハエ等の飛翔害虫を捕獲することができる。
蛍光灯の電気をつけている時に灯りに近づいてくる虫もいるが、消灯後にその残照にひかれて近づき、飛翔害虫捕獲用具に設置された粘着シートに接触して捕獲される飛翔害虫も多い。
本考案を使う為の特別な光源は不必要であり無駄な電気を使うことも無い。
用具の置き場所も必要とせずにハエ等の飛翔害虫を捕獲することができる。
【考案を実施するための形態】
【０００８】
本考案の飛翔害虫補獲用具（１）は飛翔害虫を粘着効果で補獲する粘着シート（２）を支える平板部材（１ａ）と、前記粘着シート（２）を固定するための平板部材（１ａ）に複数の固定部材（１ｂ）を設け、さらに照明器具（３）に固定するために前記平板部材（１ａ）の前記粘着シート（２）を装着する面とは反対の面に取り付け部材（１ｃ）を設ける。
前記取り付け部材（１ｃ）は両面テープで、剥離シートを剥がして前記照明器具（3）の蛍光灯（3ａ）の近くの本体垂直面に固定接着する。
粘着シート（2）は板状シート（2ａ）に粘着剤を塗布し、剥離シート（2ｃ）で覆われている。
固定部材（1ｂ）のヘアピン型クリップ（1ｂ）があたる両サイドの剥離シート（2dｆ）が残るように切り取り線を入れ、中央部剥離シート（2）の剥離シートを剥がして使用する。
粘着シート（２）の両サイドは持っても手を汚さずに作業を進めることができる。
飛翔害虫補獲用具（１）両サイド固定部材（1ｂ）のヘアピン型クリップに粘着シート（2）の両サイドのシート（2f）を下方から差し込むように挿入し、装着する。
手元用照明器具の蛍光管（3ａ）と最も近い本体垂直面に本考案の飛翔害虫捕獲用具（１）を設置する。
【実施例】
【０００９】
図１は飛翔害虫捕獲用具（１）の斜視図である。
平板部材（1ａ）上端に設けた２個の固定部材（1ｂ）はヘアピン型クリップで粘着シート（２）の両サイド（2f）を挟み、落下しないように固定する。
取り付け部材（1ｃ）の両面テープを、図２のように飛翔害虫捕獲用具背面に取り付ける。照明器具本体（３）の最も蛍光管（3ａ）に近い部分に両面テープの剥離シートを剥がして垂直面に固定接着する。
図４は飛翔害虫を粘着効果で補獲する粘着シート（２）斜視図であり、両サイドの剥離シート（2ｆ）と中央部の剥離シート（2e）に分かれており、剥離シートの下部には粘着剤が塗布されて粘着面（2b）が構成される。
図５は飛翔害虫捕獲用具（１）に粘着シート（２）を装着した状況を示すもので、図４の剥離シート（2e）を剥がし、剥離シート下部の粘着面（2b）が表面に現れた粘着シート（２）である。
図６の照明器具本体（３）は主に台所等に設置されている蛍光灯であり、その蛍光管（3ａ）の直近垂直面に、飛翔害虫捕獲用具（１）に粘着シート（２）を装着した本考案を設置した状態を示す。
粘着シート（２）にハエ等の飛翔害虫が捕獲されて見苦しくなったら取り外し、新しい粘着シートを装着させる。
【産業上の利用可能性】
【００１０】
一般家庭にかぎらず、食堂・レストラン等の飲食を取り扱う事業所などでは店舗・厨房内にハエなどが飛ぶのは衛生面や客の印象などが悪くなるなど神経を使うところである。
飲食店で殺虫剤などを店内に散布するのは食べ物に殺虫剤が降りかかるようで客の心象も悪く、ハエは小型化して見つけにくい等の理由で殺虫剤の散布がしにくい。
飲食店の厨房などには特にハエなどが集まりやすく客席などで注文待ちの客は小型化しているハエであっても意外と目につきやすい。
照明器具の灯り近辺では特にハエ等の飛翔害虫が集まりやすい。
手元用照明器具は厨房などには必要な設備であり当然設置されている照明器具であり、本考案を取り付けても厨房作業の妨げにならず、来客者の目には止まりにくいという利点がある。
厨房の照明器具のみならず、和室の照明器具の笠の内側に取り付けると、夜間に照明器具の蛍光管付近を飛び交うハエ等の飛翔害虫を捕獲することができる。
飛翔害虫捕獲用具（１）の固定部材（１ｂ）であるヘアピン型クリップ部分のみを照明器具本体に設置することで粘着シート（２）を直接取り付けて飛翔害虫の捕獲をすることを可能とする照明器具とする事も考えられる。
【図面の簡単な説明】
【００１１】
【図１】飛翔害虫捕獲用具  斜視図
【図２】飛翔害虫捕獲用具  側面図
【図３】飛翔害虫捕獲用具  背面図
【図４】粘着紙斜視図
【図５】飛翔害虫捕獲用具と粘着紙の装着図
【図６】照明器具への本考案装着使用状況図
【符号の説明】
【００１２】
１       飛翔害虫捕獲用具
１ａ     平板部材
１ｂ     固定部材
１ｃ     取り付け部材
２       粘着シート
2ａ      平板シート
2ｂ      粘着面
2ｃ      剥離シート
2ｄ      剥離シート切り取り線
2ｅ      剥離シート中央
2ｆ      サイドシート
３       照明器具
3ａ      蛍光管
【図１】
0003204659.tif 000003
【図２】
0003204659.tif 000004
【図３】
0003204659.tif 000005
【図４】
0003204659.tif 000006
【図５】
0003204659.tif 000007
【図６】
0003204659.tif 000008